(57)【要約】【課題】画像の一部に欠落が生じても、欠落の影響を低く抑える。【解決手段】画像処理部２５７は、信号検知部２５１によりいずれかの画素データの欠落が検出された場合に、表示画像データを構成する画素であって、画素データの欠落により画像特徴量を設定できない未設定画素の画素データを、画素データの欠落が検出されなかった他のチャネルの画素データに基づいて補間して生成する補間処理を実行し、補間処理で、未設定画素の画素データを、未設定画素以外の画素から選択される参照画素の画素データにより補間する、プロジェクター２００。【選択図】図３
2019144447.tif 000002
【特許請求の範囲】
【請求項１】
複数のチャネルを有する画像入力部と、
複数の前記チャネルの各々に入力される入力データを処理して、１フレームの画像を表示するための表示画像データを生成する生成部と、
前記チャネルごとに入力データの欠落を検出する検出部と、を備え、
前記生成部は、前記検出部によりいずれかの入力データの欠落が検出された場合に、前記表示画像データを構成する画素であって、入力データの欠落により画像特徴量を設定できない未設定画素の画像特徴量を、入力データの欠落が検出されなかった他のチャネルの入力データに基づいて補間して生成する補間処理を実行し、
前記補間処理で、前記未設定画素の画像特徴量を、前記未設定画素以外の画素から選択される参照画素の画像特徴量により補間する、画像表示装置。
【請求項２】
前記生成部は、前記他のチャネルの入力データにより前記画像特徴量としての輝度値を設定済みの画素を前記参照画素として選択し、選択した前記参照画素の輝度値に基づいて参照輝度値を求め、前記参照輝度値をもとに前記未設定画素の輝度値を設定する、請求項１に記載の画像表示装置。
【請求項３】
前記生成部は、前記未設定画素に隣接する隣接画素であって、前記他のチャネルの入力データにより前記画像特徴量としての輝度値を設定済みの隣接画素を前記参照画素として選択する、請求項２に記載の画像表示装置。
【請求項４】
前記生成部は、前記他のチャネルの入力データにより前記画像特徴量としての輝度値を設定済みの複数の画素を前記参照画素として選択し、選択した複数の前記参照画素の輝度値の平均値を前記参照輝度値として求める、請求項２又は３に記載の画像表示装置。
【請求項５】
前記生成部は、前記未設定画素の輝度値を、前記参照輝度値に対して予め設定されたシフト量を加えた輝度値に設定する、請求項２から４のいずれか１項に記載の画像表示装置。
【請求項６】
前記生成部は、前記未設定画素の輝度値を、前記参照輝度値と、前記参照輝度値に対して予め設定されたシフト量を加えた輝度値とにより決定される範囲から選択する、請求項２から４のいずれか１項に記載の画像表示装置。
【請求項７】
操作を受け付ける操作部を備え、
前記生成部は、前記操作部で受け付けた操作に従い、前記参照輝度値と、前記参照輝度値に予め設定されたシフト量を加えた輝度値とのいずれか一方を選択する、請求項２から４のいずれか１項に記載の画像表示装置。
【請求項８】
報知を行う報知部を備え、
前記検出部により入力データの欠落が検出されると、欠落が検出されたチャネルの情報を前記報知部により報知する、請求項１から７のいずれか１項に記載の画像表示装置。
【請求項９】
複数のチャネルを備える画像入力部を有する画像表示装置の制御方法であって、
複数の前記チャネルの各々に入力される入力データを処理して、１フレームの画像を表示するための表示画像データを生成する生成ステップと、
前記チャネルごとに入力データの欠落を検出する検出ステップと、を有し、
前記生成ステップは、前記検出ステップによりいずれかの入力データの欠落が検出された場合に、前記表示画像データを構成する画素であって、入力データの欠落により画像特徴量を設定できない未設定画素の画像特徴量を、入力データの欠落が検出されなかった他のチャネルの入力データに基づいて補間して生成する補間処理を実行し、
前記補間処理で、前記未設定画素の画像特徴量を、前記未設定画素以外の画素から選択される参照画素の画像特徴量により補間する、画像表示装置の制御方法。
【発明の詳細な説明】
【技術分野】
【０００１】
本発明は、画像表示装置、及び画像表示装置の制御方法に関する。
【背景技術】
【０００２】
従来、画像データを複数に分割し、分割した画像データを複数の通信チャネルにより送信するシステムが知られている（例えば、特許文献１参照）。
特許文献１は、原画像を分割して分割画像を生成する画像マッピング部と、複数の通信チャネルのいずれかに対応付けられ、分割画像を対応する通信チャネルにより送信する送信部と、を備える画像送信回路を開示する。
【先行技術文献】
【特許文献】
【０００３】
【特許文献１】特開２０１４−１４６９２４号公報
【発明の概要】
【発明が解決しようとする課題】
【０００４】
ところで、通信チャネルの一部において、画像表示装置が画像を受信できなかった場合、画像表示装置が表示する画像の一部が欠落し、画像を見たユーザーに違和感を与えてしまう場合があった。
本発明は、画像の一部に欠落が生じても、欠落した画素を自動的に補間することによって、欠落の影響を低く抑えることを目的とする。また、欠落した画素を目立たせることによって、ユーザーが欠落に気付易くさせ、画像復旧までの時間を短縮させることを目的とする。
【課題を解決するための手段】
【０００５】
上記課題の少なくとも一部を解決するため本発明の画像表示装置は、複数のチャネルを有する画像入力部と、複数の前記チャネルの各々に入力される入力データを処理して、１フレームの画像を表示するための表示画像データを生成する生成部と、前記チャネルごとに入力データの欠落を検出する検出部と、を備え、前記生成部は、前記検出部によりいずれかの入力データの欠落が検出された場合に、前記表示画像データを構成する画素であって、入力データの欠落により画像特徴量を設定できない未設定画素の画像特徴量を、入力データの欠落が検出されなかった他のチャネルの入力データに基づいて補間して生成する補間処理を実行し、前記補間処理で、前記未設定画素の画像特徴量を、前記未設定画素以外の画素から選択される参照画素の画像特徴量により補間する。
本発明によれば、未設定画素の画像特徴量が、未設定画素以外の画素から選択される参照画素の画像特徴量により補間される。このため、入力データの欠落したチャネルがあっても、入力データの欠落の影響を低く抑えることができる。
【０００６】
また、本発明は、前記生成部は、前記他のチャネルの入力データにより前記画像特徴量としての輝度値を設定済みの画素を前記参照画素として選択し、選択した前記参照画素の輝度値に基づいて参照輝度値を求め、前記参照輝度値をもとに前記未設定画素の輝度値を設定する。
この構成によれば、輝度値を設定済みの画素から参照画素を選択し、選択した参照画素の輝度値をもとに未設定画素の輝度値が設定される。従って、未設定画素の輝度値を、輝度値を設定済みの画素の輝度値をもとに設定することができる。また、参照画素を選択するチャネルを任意に選択することができる。
【０００７】
また、本発明は、前記生成部は、前記未設定画素に隣接する隣接画素であって、前記他のチャネルの入力データにより前記画像特徴量としての輝度値を設定済みの隣接画素を前記参照画素として選択する。
この構成によれば、参照画素として、輝度値を設定済みの隣接画素が選択される。従って、輝度値を設定済みの隣接画素の輝度値に基づいて未設定画素の輝度値を設定することができる。
【０００８】
また、本発明は、前記生成部は、前記他のチャネルの入力データにより前記画像特徴量としての輝度値を設定済みの複数の画素を前記参照画素として選択し、選択した複数の前記参照画素の輝度値の平均値を前記参照輝度値として求める。
この構成によれば、参照画素として、輝度値を設定済みの複数の画素が選択される。従って、輝度値を設定済みの複数の参照画素の輝度値の平均値に基づいて未設定画素の輝度値を設定することができる。
【０００９】
また、本発明は、前記生成部は、前記未設定画素の輝度値を、前記参照輝度値に対して予め設定されたシフト量を加えた輝度値に設定する。
この構成によれば、未設定画素の輝度値として、参照輝度値に予め設定されたシフト量を加えた輝度値が設定される。従って、未設定画素の輝度値を、参照輝度値からシフト量だけ離れた値に設定することができる。
【００１０】
また、本発明は、前記生成部は、前記未設定画素の輝度値を、前記参照輝度値と、前記参照輝度値に対して予め設定されたシフト量を加えた輝度値とにより決定される範囲から選択する。
この構成によれば、未設定画素の輝度値として、参照輝度値と、参照輝度値にシフト量を加えた輝度値とにより決定される範囲から選択される値を設定することができる。
【００１１】
また、本発明は、操作を受け付ける操作部を備え、前記生成部は、前記操作部で受け付けた操作に従い、前記参照輝度値と、前記参照輝度値に予め設定されたシフト量を加えた輝度値とのいずれか一方を選択する。
この構成によれば、ユーザーの選択に従い、未設定画素の輝度値として、参照輝度値と、参照輝度値に予め設定されたシフト量を加えた輝度値とのいずれ一方を選択することができる。
【００１２】
また、本発明は、報知を行う報知部を備え、前記検出部により入力データの欠落が検出されると、欠落が検出されたチャネルの情報を前記報知部により報知する。
この構成によれば、入力データの欠落が生じたことを報知することができる。
【００１３】
上記課題の少なくとも一部を解決するため、本発明は、複数チャネルを備える画像入力部を有する画像表示装置の制御方法であって、複数の前記チャネルの各々に入力される入力データを処理して、１フレームの画像を表示するための表示画像データを生成する生成ステップと、前記チャネルごとに入力データの欠落を検出する検出ステップと、を有し、前記生成ステップは、前記検出ステップによりいずれかの入力データの欠落が検出された場合に、前記表示画像データを構成する画素であって、入力データの欠落により画像特徴量を設定できない未設定画素の画像特徴量を、入力データの欠落が検出されなかった他のチャネルの入力データに基づいて補間して生成する補間処理を実行し、前記補間処理で、前記未設定画素の画像特徴量を、前記未設定画素以外の画素から選択される参照画素の画像特徴量により補間する。
本発明によれば、未設定画素の画像特徴量が、未設定画素以外の画素から選択される参照画素の画像特徴量により補間される。このため、入力データの欠落したチャネルがあっても、入力データの欠落の影響を低く抑えることができる。
【図面の簡単な説明】
【００１４】
【図１】システム構成図。
【図２】画像供給装置からプロジェクターに供給される画像データを示す図。
【図３】プロジェクターの構成図。
【図４】フレームメモリーに展開された画素データを示す図。
【図５】フレームメモリーに展開された画素データを示す図。
【図６】プロジェクターの動作を示すフローチャート。
【発明を実施するための形態】
【００１５】
図１は、本実施形態のシステム構成図である。
本実施形態のシステムは、画像データを供給する画像供給装置１００と、供給された画像データを投射面に投射するプロジェクター２００とを備える。プロジェクター２００は、本発明の「画像表示装置」として動作する。
【００１６】
画像供給装置１００とプロジェクター２００とは、複数のチャネルにより接続される。画像供給装置１００は、１フレームの画像を表示するための画像データを複数に分割し、分割した画像データを、複数のチャネルの各々に割り当ててプロジェクター２００に送信する。１フレームの画像とは、１カット（コマ）の分の画像に相当し、例えば、画像の元となる画像データの垂直走査信号の周波数が６０Ｈｚであれば、その１周期分の１６．６７ミリ秒の間にプロジェクター２００が表示する画像である。
また、チャネルは、データの送受信に使用される伝送経路であり、ケーブル、ケーブルを接続するコネクター、コネクターに対応したインターフェイス回路等を含む。本実施形態は、画像供給装置１００とプロジェクター２００とを４つのチャネルにより接続した場合を例に挙げて説明するが、チャネルの数は任意である。画像供給装置１００とプロジェクター２００とは、ケーブル１１、１２、１３及び１４により接続される。
【００１７】
画像供給装置１００は、画像分割部１１０と、画像送信Ｉ／Ｆ部１２０とを備える。画像送信Ｉ／Ｆ部１２０は、第１送信部１２１、第２送信部１２２、第３送信部１２３及び第４送信部１２４を備える。本実施形態では、第１送信部１２１は第１チャネルに対応付けられ、第２送信部１２２は第２チャネルに対応付けられる。また、第３送信部１２３は第３チャネルに対応付けられ、第４送信部１２４は第４チャネルに対応付けられる。図１において、第１送信部１２１を「第１Ｔｘ」と表記し、第２送信部１２２を「第２Ｔｘ」と表記する。また、図１において、第３送信部１２３を「第３Ｔｘ」と表記し、第４送信部１２４を「第４Ｔｘ」と表記する。
【００１８】
画像分割部１１０には、不図示の上位装置から動画像や静止画像のデータが入力される。動画像や静止画像のデータを、以下では画像データという。画像データは、ＤＶＤやブルーレイディスク（Blu-ray（登録商標） Disc）等の記録媒体に記録されたデータであってもよいし、ハードディスク装置等の記憶部（いずれも不図示）から読み出されたデータであってもよい。
画像分割部１１０は、入力された画像データを複数に分割する。本実施形態では、画像分割部１１０は、画像データを構成する各画素のデータを４チャネルのいずれかに割り当てることで、画像データの１フレームを４分割する。画素のデータには、輝度値（Ｙ）を示すデータと、色差情報（Ｃｂ、Ｃｒ）を示すデータとが含まれる。画素のデータを以下では、画素データという。輝度値（Ｙ）を示すデータは、本発明の「画像特徴量」に相当する。
【００１９】
図２は、画像供給装置１００からプロジェクター２００に供給される画像データを示す図であり、マトリクス状に配置された画素データを示す図である。
画像分割部１１０は、画像データの１ラインの画素データを２チャネルに割り当てる。
図２において、画像データの第１行目の画素を第１ラインの画素といい、第２行目の画素を第２ラインという。以下、同様に、第３ラインの画素、第４ラインの画素、・・・という。図２には、第１ライン〜第８ラインまでの画素を示す。
【００２０】
画像分割部１１０は、同一ラインの連続する２画素を同一のチャネルに割り当てる。
例えば、画像分割部１１０は、第１ラインにおいて、左から１番目（左端）及び２番目の画素の２画素分の画素データを第１チャネルに割り当てる。図２において「ＣＨ１」は、第１チャネルを示す。また、画像分割部１１０は、第１ラインの左から３番目及び４番目の画素の画素データを第２チャネルに割り当てる。図２において「ＣＨ２」は、第２チャネルを示す。さらに、画像分割部１１０は、第１ラインの左から５番目及び６番目の画素の画素データを第１チャネルに割り当てる。このようにして、画像分割部１１０は、第１ラインの画素を、２画素ずつ、第１チャネルと第２チャネルとに交互に割り当てる。
【００２１】
また、画像分割部１１０は、第２ラインの左から１番目（左端）及び２番目の画素の２画素分の画素データを第３チャネルに割り当てる。図２において「ＣＨ３」は、第３チャネルを示す。また、画像分割部１１０は、第２ラインの左から３番目及び４番目の画素の画素データを第４チャネルに割り当てる。図２において「ＣＨ４」は、第４チャネルを示す。さらに、画像分割部１１０は、第２ラインの左から５番目及び６番目の画素の画素データを第３チャネルに割り当てる。このようにして、画像分割部１１０は、第２ラインの画素を、２画素ずつ、第３チャネルと第４チャネルとに交互に割り当てる。
【００２２】
画像分割部１１０は、第３ライン以降の各ラインについて、第１及び第２ラインと同様に処理し、１フレーム分の画素データを、第１チャネル〜第４チャネルのいずれかに割り当てる。
【００２３】
画像分割部１１０は、各チャネルに割り当てた画素データを、画像送信Ｉ／Ｆ部１２０の割り当てたチャネルに対応した送信部（第１送信部１２１、第２送信部１２２、第３送信部１２３及び第４送信部１２４のいずれか）に出力する。
【００２４】
第１送信部１２１は、インターフェイス回路及びコネクター（いずれも不図示）を備え、コネクターには、ケーブル１１が接続される。第１送信部１２１は、画像分割部１１０から入力される画素データに、同期信号や付加情報を付加し、さらに画像送信Ｉ／Ｆ部１２０の通信規格に対応した信号（以下、画像信号という）に変換する。第１送信部１２１は、変換した画像信号をケーブル１１に出力する。同期信号には、例えば、ライン番号、画素が有効である期間の開始タイミングを示す信号や、画素が有効である期間の終了タイミングを示す信号、誤り検出符号、水平ブランキング信号等の信号が含まれる。また、付加情報には、チャネルを識別する識別情報が含まれる。例えば、チャネルを識別する識別情報を、ペイロードＩＤに含ませることも可能である。ペイロードＩＤには、チャネルを識別する識別情報の他に、フレームレート、解像度、ビット深度及び信号構成など、記録・伝送動画像フォーマットに関する情報が含まれる。
【００２５】
第２送信部１２２、第３送信部１２３及び第４送信部１２４も、第１送信部１２１と同様に、インターフェイス回路及びコネクター（いずれも不図示）を備える。第２送信部１２２のコネクターにはケーブル１２が接続され、第３送信部１２３のコネクターにはケーブル１３が接続され、第４送信部１２４のコネクターにはケーブル１４が接続される。
第２送信部１２２、第３送信部１２３及び第４送信部１２４は、画像分割部１１０から入力される画素データに、同期信号やチャネルを識別する識別情報を付加し、さらに画像信号に変換する。第２送信部１２２、第３送信部１２３及び第４送信部１２４は、変換した画像信号を対応するケーブル１２、１３及び１４に出力する。
【００２６】
図３は、プロジェクター２００の構成を示すブロック図である。
プロジェクター２００は、投射画像を生成して投射面に投射する装置である。投射画像は、画像供給装置１００から供給される画像データに基づいて生成することも可能であるし、プロジェクター２００の備える記憶部２６５（図３参照）に予め記憶された画像データに基づいて生成することも可能である。
また、プロジェクター２００が投射画像を投射する投射面は、平面であっても曲面や凹凸面であってもよい。本実施形態では、平面で構成されるスクリーンＳＣに画像を投射する場合について説明する。また、スクリーンＳＣは、壁面等の固定された平面を利用してもよいし、吊り下げ式や立ち上げ式の幕状のスクリーンであってもよい。
【００２７】
プロジェクター２００は、画像受信インターフェイス部（以下、画像受信Ｉ／Ｆ部と略記する）２４０を備える。画像受信Ｉ／Ｆ部２４０は、第１受信部２４１、第２受信部２４２、第３受信部２４３及び第４受信部２４４を備える。図３には、第１受信部２４１を「第１Ｒｘ」と表記し、第２受信部２４２を「第２Ｒｘ」と表記し、第３受信部２４３を「第３Ｒｘ」と表記し、第４受信部２４４を「第４Ｒｘ」と表記する。画像受信Ｉ／Ｆ部は、本発明の「画像入力部」として動作する。
【００２８】
第１受信部２４１、第２受信部２４２、第３受信部２４３及び第４受信部２４４の各々は、コネクターと、このコネクターに対応したインターフェイス回路（いずれも不図示）とを備える。第１受信部２４１のコネクターはケーブル１１に接続され、第２受信部２４２のコネクターはケーブル１２に接続され、第３受信部２４３のコネクターはケーブル１３に接続され、第４受信部２４４のコネクターはケーブル１４に接続される。第１受信部２４１は第１チャネルに対応付けられ、第２受信部２４２は第２チャネルに対応付けられる。また、第３受信部２４３は第３チャネルに対応付けられ、第４受信部２４４は第４チャネルに対応付けられる。
【００２９】
画像送信Ｉ／Ｆ部１２０及び画像受信Ｉ／Ｆ部２４０に採用可能なインターフェイスとして、例えば、HD-SDI、3G-SDI、Dual-link HD-SDI、Quad-Link 3G-SDI、HDMI（登録商標）、Display Port等を挙げることができる。本実施形態の画像送信Ｉ／Ｆ部１２０及び画像受信Ｉ／Ｆ部２４０は、Quad-Link 3G-SDIに対応した規格を備える。
【００３０】
第１受信部２４１は、ケーブル１１を介して画像信号を受信すると、受信した画像信号からヘッダー情報や、画素データを取り出す。画素データは、本発明の「入力データ」に相当する。第１受信部２４１は、取り出したヘッダー情報や画素データを画像合成部２５３に出力する。また、第１受信部２４１は、取り出したヘッダー情報を信号検知部２５１に出力する。第２受信部２４２、第３受信部２４３及び第４受信部２４４も、第１受信部２４１と同様に動作する。
【００３１】
信号検知部２５１は、本発明の「検出部」として動作する。信号検知部２５１には、第１受信部２４１、第２受信部２４２、第３受信部２４３及び第４受信部２４４からヘッダー情報が入力される。信号検知部２５１は、入力されるヘッダー情報に基づいて、画像信号が受信できなかったチャネルを検出する。
まず、信号検知部２５１は、ヘッダー情報に基づいて、画像信号を受信したチャネルを検出する。信号検知部２５１は、画像信号を受信したチャネルを検出すると、４チャネルのすべてで画像信号を受信したか否かを判定する。信号検知部２５１は、４チャネルのすべてで画像信号を受信していない場合、画像信号を受信することができなかったチャネルを検出する。すなわち、信号検知部２５１は、ヘッダー情報が入力されなかったチャネルを、画像信号を受信することができなかったチャネルとして検出する。信号検知部２５１は、画像信号を受信することができなかったチャネルを検出すると、検出したチャネルの情報を制御部２７０に出力する。
【００３２】
また、信号検知部２５１は、第１受信部２４１、第２受信部２４２、第３受信部２４３及び第４受信部２４４の信号受信状態を監視し、画像信号を受信できなかった受信部を検出して検出結果を制御部２７０に出力してもよい。
【００３３】
画像合成部２５３には、第１受信部２４１、第２受信部２４２、第３受信部２４３及び第４受信部２４４からヘッダー情報及び画素データが入力される。画像合成部２５３は、ヘッダー情報を参照して、第１受信部２４１〜第４受信部２４４が受信した画素データをフレームメモリー２５５に展開して１フレーム分の画像データを生成する。このとき、画像合成部２５３は、画素データに含まれる輝度値（Ｙ）及び色差情報（Ｃｂ、Ｃｒ）に基づいて、画素データをＲ（赤）、Ｇ（緑）、Ｂ（青）の形式に変換し、ＲＧＢ値及び輝度値（Ｙ）をフレームメモリー２５５に記憶させる。
また、画像信号を受信することができないチャネルが存在する場合、フレームメモリー２５５に展開された画素データのデータ量は、１フレーム分の画素データよりも少ない。
【００３４】
フレームメモリー２５５は、複数のバンクを備える。各バンクは、画像データの１フレームを書き込み可能な記憶容量をする。フレームメモリー２５５は、例えば、ＳＤＲＡＭ（Synchronous Dynamic Random Access Memory）により構成される。ＳＤＲＡＭは、クロックに同期してデータの読み出し及び書き込みを行うＤＲＡＭである。
本実施形態では、プロジェクター２００が、１フレーム分の画素データを記憶するフレームメモリー２５５を備える場合について説明するが、１ライン分の画素データを記憶するラインバッファーをフレームメモリー２５５に代えて備える構成であってもよい。
【００３５】
画像処理部２５７は、制御部２７０と共に本発明の「生成部」として動作する。画像処理部２５７は、フレームメモリー２５５に展開された画素データに対して、例えば、解像度変換（スケーリング）処理又はリサイズ処理、歪曲収差の補正、形状補正処理、デジタルズーム処理、画像の色合いや輝度の調整等の処理を行う。また、画像処理部２５７は、上記のうち複数の処理を組み合わせて実行することも勿論可能である。
【００３６】
また、画像処理部２５７は、第１チャネル〜第４チャネルのいずれかのチャネルに、画素データの欠落が検出された場合、制御部２７０の制御に従って補間処理を実行し、欠落したチャネルの画素データを生成する。具体的には、画像処理部２５７は、画像データを構成する画素であって、欠落により値を設定できない画素（以下、未設定画素という）の画素データを、画素データの欠落が検出されなかった他のチャネルの画素データに基づいて補間する。補間処理の詳細については後述する。画像処理部２５７は、画像処理が終了すると、フレームメモリー２５５に展開された画素データを読み出し、表示画像データとして光変調部駆動部２２２に出力する。
【００３７】
プロジェクター２００は、光学的な画像を形成してスクリーンＳＣに投射する投射部２１０と、投射部２１０を駆動する駆動部２２０とを備える。投射部２１０は、光源部２１１、光変調部２１２及び投射光学系２１３を備え、駆動部２２０は、光源駆動部２２１、光変調部駆動部２２２及び投射光学系駆動部２２３を備える。
【００３８】
光源部２１１は、キセノンランプ、超高圧水銀ランプ、ＬＥＤ（Light Emitting Diode）又はレーザー光源等からなる光源を備える。光源部２１１は、光源が発した光を光変調部２１２に導くリフレクター及び補助リフレクターを備えていてもよい。また、光源部２１１は、投射光の光学特性を高めるためのレンズ群、偏光板、又は光源が発した光の光量を光変調部２１２に至る経路上で低減させる調光素子等（いずれも不図示）を備えていてもよい。
【００３９】
光源駆動部２２１は、光源部２１１及びバス２８０に接続され、同じくバス２８０に接続された制御部２７０の制御に従って光源部２１１を点灯又は消灯させる。
【００４０】
光変調部２１２は、ＲＧＢの三原色に対応した３枚の液晶パネルを備える。光源部２１１が発する光は、不図示の光学系によりＲＧＢの３色の色光に分離され、対応する液晶パネルにそれぞれ入射される。３枚の液晶パネルは、透過型の液晶パネルであり、色光が液晶パネルを透過することで変調されて画像光が生成される。各液晶パネルを透過して変調された画像光は、クロスダイクロイックプリズム等の合成光学系によって合成されて投射光学系２１３に射出される。
【００４１】
光変調部駆動部２２２は、光変調部２１２及びバス２８０に接続され、制御部２７０の制御に従って光変調部２１２の各液晶パネルに画像を描画する。
光変調部駆動部２２２は、画像処理部２５７から入力される表示画像データに基づいてＲ，Ｇ，Ｂごとの駆動信号を生成する。光変調部駆動部２２２は、生成したＲ，Ｇ，Ｂの駆動信号に基づいて光変調部２１２の対応する液晶パネルを駆動し、各液晶パネルに画像を描画する。
【００４２】
投射光学系２１３は、光変調部２１２により変調された画像光をスクリーンＳＣ方向に投射して、スクリーンＳＣ上に結像させる投射レンズ（不図示）を備える。投射レンズは、画角の調整、すなわち投射される画像の大きさを調整（ズーム調整）する機能を有するズームレンズである。また、投射レンズは、焦点位置の調整であるフォーカス調整の機能も有する。
【００４３】
投射光学系駆動部２２３は、投射光学系２１３を駆動するモーターを備え、投射光学系２１３及びバス２８０に接続される。投射光学系駆動部２２３は、制御部２７０の制御に従ってモーターを駆動して投射レンズのレンズ位置を調整し、ズームやフォーカスを調整する。
【００４４】
プロジェクター２００は、リモコン受光部２３１、操作パネル２３３、表示パネル２３５、及び入出力Ｉ／Ｆ部２３９を備える。
【００４５】
リモコン受光部２３１は、リモコン５から送信される赤外線信号を受光して入出力Ｉ／Ｆ部２３９に出力する。ユーザーによって操作されるリモコン５は、各種ボタンを備え、ユーザーのボタン操作に対応した赤外線信号を送信する。リモコン５は、本発明の「操作部」として動作する。入出力Ｉ／Ｆ部２３９は、リモコン受光部２３１が受光した赤外線信号をデコードし、リモコン５における操作内容を示す操作信号を生成して制御部２７０に出力する。
【００４６】
操作パネル２３３には、各種の操作キーが設けられる。操作キーには、例えば、プロジェクター２００の電源をオン、オフするための電源キーや、各種設定を行うためのメニューキー等が含まれる。操作パネル２３３は、操作キーの操作を受け付けると、操作を受け付けた操作キーに対応した操作信号を制御部２７０に出力する。操作パネル２３３は、本発明の「操作部」として動作する。
【００４７】
表示部２３５は、表示パネル２３７を備える。表示パネル２３７には、例えば、ＬＣＤ（Liquid Crystal Display）を用いることができる。表示部２３５は、制御部２７０の制御に従い、表示パネル２３７に各種画面を表示させる。表示パネル２３７は、例えば、プロジェクター２００本体の側面に設けられる。表示部２３５及び制御部２７０は、本発明の「報知部」として動作する。
【００４８】
プロジェクター２００は、無線通信部２６０を備える。無線通信部２６０は、バス２８０に接続され、制御部２７０の制御に従って動作する。
無線通信部２６０は、図示しないアンテナやＲＦ（Radio Frequency）回路等を備え、制御部２７０の制御に従って、外部の装置と無線通信を実行する。無線通信部２６０の無線通信方式には、例えば無線ＬＡＮ（Local Area Network）、Ｂｌｕｅｔｏｏｔｈ（登録商標）、ＵＷＢ（Ultra Wide Band）、赤外線通信等の近距離無線通信方式を採用できる。また、無線通信部２６０の無線通信方式として携帯電話回線を利用した無線通信方式を採用してもよい。
【００４９】
プロジェクター２００は、画像処理系を備える。この画像処理系は、プロジェクター２００の全体を統合的に制御する制御部２７０を中心に構成され、この他に、画像合成部２５３、画像処理部２５７、フレームメモリー２５５及び記憶部２６５を備える。
【００５０】
記憶部２６５は、例えば、ハードディスク装置等の補助記憶装置である。記憶部２６５は、ＤＲＡＭ（Dynamic RAM）、大容量の情報の記憶が可能なフラッシュメモリー又はＣＤ（Compact Disc）、ＤＶＤ（Digital Versatile Disc）、ＢＤ（Blu-ray（登録商標） Disc）等の光ディスクで代替されてもよい。記憶部２６５は、制御部２７０が実行する制御プログラムや、画像処理部２５７が実行する画像処理に使用するパラメーター等の各種データを記憶する。
【００５１】
また、記憶部２６５は、設定情報２６７を記憶する。設定情報２６７は、画像処理部２５７の動作を設定する情報であり、例えば、画素データの欠落したチャネルが検出された場合に、画像処理部２５７が実行する補間処理の動作を設定する情報が含まれる。また、設定情報２６７は、ユーザーが操作パネル２３３やリモコン５を操作することで変更可能な情報である。
【００５２】
制御部２７０は、画像処理部２５７と共に本発明の「生成部」として動作する。制御部２７０は、ハードウェアとしてＣＰＵ、ＲＯＭ及びＲＡＭ（いずれも図示略）を備える。ＲＯＭは、不揮発性の記憶装置であり、制御プログラム及びデータを記憶する。ＲＡＭは、ＣＰＵのワークエリアとして使用される。ＣＰＵは、ＲＯＭや記憶部２６５から読み出した制御プログラムをＲＡＭに展開し、展開した制御プログラムを実行してプロジェクター２００の各部を制御し、制御部２７０の機能を実行する。
【００５３】
本実施形態は、制御部２７０が一つのプロセッサー（ＣＰＵ）を備え、このプロセッサーが制御プログラムに従った処理を実行することで制御部２７０の機能を実現するが、複数のプロセッサー又は半導体チップにより制御部２７０の機能を実現してもよい。例えば、制御部２７０が、ＳｏＣ（System-on-a-Chip）やＭＣＵ（Micro Control Unit）、ＦＰＧＡ（Field-Programmable Gate Array）等の副処理装置（co-processor）をさらに備える構成であってもよい。また、制御部２７０は、ＣＰＵ及び副処理装置の双方を協働させるか、あるいは双方のうちの一方を選択的に用いて各種の制御を行ってもよい。
【００５４】
制御部２７０は、駆動部２２０を制御して、投射部２１０に投射画像を投射させる。具体的には、制御部２７０は、光源駆動部２２１を制御して光源部２１１の光源を点灯又は消灯させ、また、光源の輝度を調整させる。また、制御部２７０は、光変調部駆動部２２２を制御して、光変調部２１２の液晶パネルに画像を描画させる。さらに、制御部２７０は、投射光学系駆動部２２３を制御して、投射レンズのズームやフォーカスを調整する。これにより、光源部２１１から射出された光が光変調部２１２の液晶パネルを透過することで変調されて画像光が生成され、生成された画像光が投射画像として投射光学系２１３によりスクリーンＳＣに投射される。
【００５５】
また、制御部２７０は、画像処理部２５７に画像処理を実行させて画像データを処理させる。この際、制御部２７０は、画像処理に必要なパラメーターを記憶部２６５から読み出して画像処理部２５７に出力する。
【００５６】
さらに、制御部２７０は、信号検知部２５１から画像信号を受信することができなかったチャネルの情報が入力されると、画像処理部２５７に、補間処理を実行させる。
【００５７】
制御部２７０及び画像処理部２５７の動作についてより詳細に説明する。
制御部２７０は、信号検知部２５１から画像信号を受信することができなかったチャネルの情報が入力されると、記憶部２６５から設定情報２６７を読み出し、補間処理の実行指示と共に設定情報２６７を画像処理部２５７に出力する。
【００５８】
設定情報２６７は、補間処理の設定であり、第１設定と第２設定との２つの設定がある。画像処理部２５７は、制御部２７０から入力された設定情報２６７が第１設定である場合、未設定画素に隣接する画素（以下、隣接画素という）であって、画素データを設定済みの画素を参照画素として選択する。画像処理部２５７は、選択した参照画素の画素データの平均値に基づいて未設定画素の画素データを設定する。
【００５９】
図４は、フレームメモリー２５５に展開された画素データを示す図である。特に、図４は、第２チャネルの画像信号が欠落し、第２チャネルに対応する画素の画素データが欠落した状態を示している。図４において、ハッチングを施していない画素が、画素データの欠落した画素を示している。
例えば、図４に示す第１行第３列の画素は、第２チャネルに対応する画素であって、未設定画素である。この場合、画像処理部２５７は、参照画素として、第１行第２列、第２行第２列、第２行第３列の画素を参照画素として選択し、選択した画素の輝度値（Ｙ）を取得する。画像処理部２５７は、取得した輝度値（Ｙ）の平均値を求め、求めた輝度値（Ｙ）の平均値を、未設定画素である第１行第３列の画素の輝度値（Ｙ）に設定する。選択した参照画素の輝度値（Ｙ）の平均値が、本発明の「参照輝度値」に相当する。
【００６０】
次に、設定情報２６７の設定が第２設定である場合について説明する。
画像処理部２５７は、制御部２７０から入力された設定情報２６７の設定が第２設定である場合も、未設定画素に隣接する隣接画素を参照画素に設定し、隣接画素の画素データを参照画素として参照画素の画素データの平均値を求める。画像処理部２５７は、求めた平均値にシフト量を加算又は減算した値に基づいて、未設定画素の画素データを設定する。
【００６１】
例えば、図４に示す第１行第３列の画素が未設定画素である場合、画像処理部２５７は、参照画素として、第１行第２列、第２行第２列、第２行第３列の画素を選択し、選択した各画素の輝度値（Ｙ）を取得する。画像処理部２５７は、取得した各画素の輝度値（Ｙ）の平均値を求め、求めた平均値に予め設定されたシフト量を加算又は減算した値を、未設定画素である第１行第３列の画素の輝度値（Ｙ）に設定する。
【００６２】
このとき、画像処理部２５７は、求めた輝度値（Ｙ）の平均値が予め設定された値以上である場合にはシフト量を減算し、予め設定された値より小さい場合にはシフト量を加算してもよい。例えば、輝度Ｙの範囲が０≦Ｙ≦２５５である場合に、参照画素の輝度値Ｙの平均値が１２８以上であった場合、画像処理部２５７は、輝度値Ｙの平均値から予め設定されたシフト量を減算した値を未設定画素の輝度値（Ｙ）に設定する。また、画像処理部２５７は、参照画素の輝度値Ｙの平均値が１２８より小さい場合、輝度値Ｙの平均値に、予め設定されたシフト量を加算した値を未設定画素の輝度値（Ｙ）に設定する。
【００６３】
また、画像処理部２５７は、参照画素の輝度値（Ｙ）の平均値と、この平均値にシフト量を加算した値とにより決定される範囲内から未設定画素の輝度値（Ｙ）を選択してもよい。
例えば、未設定画素の輝度値（Ｙ）として、参照画素の輝度値（Ｙ）の平均値に近い値を選択することで、ユーザーに、画素データの欠落を気づかせないようにすることができる。また、未設定画素の輝度値（Ｙ）として、参照画素の輝度値（Ｙ）の平均値にシフト量を加算した値に近い値を選択することで、ユーザーに、画素データの欠落を気づかせることができる。画像処理部２５７は、制御部２７０から入力される指示に従って、未設定画素の輝度値（Ｙ）を選択する。制御部２７０は、ユーザーが操作パネル２３３を操作して予め設定した情報に従い、画像処理部２５７に、未設定画素の輝度値（Ｙ）を選択させる。
【００６４】
設定情報２６７の設定が第２設定である場合、隣接画素の画素データの平均値に予め設定されたシフト量を加算した値が、未設定画素の画素データに設定される。このため、隣接画素の輝度値が小さい場合、未設定画素の輝度値は高い値に設定される。逆に、隣接画素の輝度値が大きい場合、未設定画素の輝度値は小さい値に設定される。このため、スクリーンＳＣに投射画像が投射されたときに、画素データの欠落したチャネルがあることをユーザーに認識させることができる。
【００６５】
上述の説明では、参照画素として、未設定画素に接する隣接画素を選択した場合を説明したが、未設定画素として選択可能な画素は、隣接画素だけに限定されない。
例えば、フレームメモリー２５５に展開された画素データ、すなわち、欠落が検出されなかったチャネルの全画素データを参照画素に設定してもよい。
【００６６】
図５は、フレームメモリーに展開された画素データを示す図である。特に、図５において、ハッチングを施した第１チャネル、第３チャネル及び第４チャネルには画素データの欠落はなく、第２チャネルにおいて画素データが欠落している。
画像供給装置１００は、画像データの１フレームを左上領域、右上領域、左下領域、右下領域の４つの均等サイズの領域に分割する。そして、画像供給装置１００は、分割した左上領域の画素データを第１チャネル、右上領域の画素データを第２チャネル、左下領域を第３チャネル、右下領域の画素データを第４チャネルに割り当ててプロジェクター２００に送信する。
【００６７】
画像供給装置１００からプロジェクター２００への画像信号の送信において、第２チャネルに割り当てられた右上領域の画素データが欠落したと仮定する。この場合、制御部２７０は、画素データを欠落することなく受信した第１チャネル、第３チャネル及び第４チャネルの画素データを参照画素に設定する。従って、１フレーム分の画素データのうち、参照画素として、画素データが欠落していないチャネルの全画素データが設定されるため、ＡＰＬ（Average Picture Level:平均画像レベル）に近い値を未設定画素の画素データに設定することができる。
【００６８】
また、未設定画素から所定範囲内の画素を参照画素として設定してもよい。
例えば、未設定画素の画素位置を中心として、未設定画素から予め設定された画素数（例えば、１０画素や２０画素）だけ離れた画素と、この画素よりも内側（未設定画素に近い画素）に位置する画素とを、参照画素に設定してもよい。
【００６９】
図６は、プロジェクター２００の動作を示すフローチャートである。
まず、制御部２７０は、第１受信部２４１、第２受信部２４２、第３受信部２４３及び第４受信部２４４のいずれかにおいて、画像信号を受信したか否かを判定する（ステップＳ１）。制御部２７０は、画像信号を受信していない場合（ステップＳ１／ＮＯ）、画像信号を受信するまで処理の開始を待機する。また、制御部２７０は、画像信号を受信した場合（ステップＳ１／ＹＥＳ）、第１チャネル〜第４チャネルのすべてのチャネルで画像信号を受信したか否かを判定する（ステップＳ２）。ステップＳ２は、本発明の「検出ステップ」に相当する。制御部２７０は、すべてのチャネルで画像信号を受信した場合（ステップＳ２／ＹＥＳ）、受信した画像信号から取り出した画素データをフレームメモリー２５５に展開し、展開した画素データを画像処理部２５７に処理させる。画像処理部２５７は画像処理を実行して、処理後の画素データをフレームメモリー２５５から読み出し、表示画像データとして投射部２１０の光変調部駆動部２２２に出力する。
【００７０】
光変調部駆動部２２２は、画像処理部２５７から入力される表示画像データに基づいてＲ，Ｇ，Ｂごとの駆動信号を生成し、生成した駆動信号に基づいて光変調部２１２の液晶パネルを駆動し、各液晶パネルに画像を描画する。これにより、光源部２１１から射出された光が光変調部２１２を透過することで画像光に変調され、変調された画像光が投射画像としてスクリーンＳＣに投射される（ステップＳ３）。
【００７１】
また、制御部２７０は、信号検知部２５１から画像信号が受信できなかったチャネルの情報が入力された場合、すべてのチャネルで画像信号を受信することができなかったと判定する（ステップＳ２／ＮＯ）。この場合、制御部２７０は、記憶部２６５から設定情報２６７を読み出し、補間処理の実行指示と設定情報２６７とを画像処理部２５７に出力する（ステップＳ５）。画像処理部２５７は、制御部２７０から入力される設定情報２６７に従って補間処理を行う（ステップＳ６）。ステップＳ６は、本発明の「生成ステップ」に相当する。
【００７２】
画像処理部２５７は、入力された設定情報２６７が第１設定である場合、未設定画素に隣接する隣接画素の画素データの平均値を求める。また、画像処理部２５７は、求めた隣接画素の画素データの平均値を未設定画素の画素データに設定する。
また、画像処理部２５７は、入力された設定情報２６７が第２設定である場合、未設定画素に隣接する隣接画素の画素データの平均値を求める。また、画像処理部２５７は、求めた平均値に予め設定されたシフト量を加算し、シフト量を加算した画素データを未設定画素の画素データに設定する。
【００７３】
次に、制御部２７０は、画素データの欠落が検出されたチャネルの情報を表示部２３５に出力する。表示部２３５は、制御部２７０の制御に従って、画素データの欠落が検出されたチャネルの情報を表示パネル２３７に表示させる（ステップＳ７）。
【００７４】
次に、補間処理が完了すると、制御部２７０は、画像処理部２５７及び駆動部２２０を制御して、スクリーンＳＣに画像を表示させる（ステップＳ８）。画像処理部２５７は、補間処理が完了し、１フレーム分の画素データが展開されたフレームメモリー２５５から画素データを読み出して表示画像データとして投射部２１０の光変調部駆動部２２２に出力する。これにより、表示画像データに基づく画像光が投射画像としてスクリーンＳＣに投射される（ステップＳ８）。
【００７５】
また、制御部２７０は、画素データの欠落が検出されたチャネルを示す画像データを生成して画像処理部２５７に出力する。
画像処理部２５７は、画像供給装置１００から受信した画素データを展開済みのフレームメモリー２５５に、制御部２７０から入力された画像データを重畳して展開する。欠落したチャネルを示す画像データの展開位置は、欠落したチャネルの表示を目立たせるために、フレームメモリー２５５の中央に展開してもよい。また、スクリーンＳＣに投射されたときに、スクリーンＳＣの上下左右のいずれかの端部に表示されるように、フレームメモリー２５５に展開してもよい。
【００７６】
画像処理部２５７は、フレームメモリー２５５に展開したデータを読み出して表示画像データとして駆動部２２０に出力する。これにより、スクリーンＳＣには、表示画像データに基づく画像に、欠落したチャネルを示す情報が重畳されて表示される（ステップＳ９）。
【００７７】
ステップＳ３、又はステップＳ９の処理を実行してスクリーンＳＣに投射画像を投射させると、制御部２７０は、画像信号の受信が終了したか否かを判定する（ステップＳ４）。制御部２７０は、画像信号の受信が終了していない場合（ステップＳ４／ＮＯ）、ステップＳ２に戻り、第１チャネル〜第４チャネルのすべてのチャネルで画像信号を受信したか否かを判定する。また、制御部２７０は、画像信号の受信が終了した場合（ステップＳ４／ＹＥＳ）、この処理フローを終了させる。
【００７８】
以上説明したように本実施形態のプロジェクター２００は、「画像入力部」として動作する画像受信Ｉ／Ｆ部２４０と、「検出部」として動作する信号検知部２５１と、「生成部」として動作する制御部２７０及び画像処理部２５７を備える。
画像受信Ｉ／Ｆ部２４０は、複数チャネルとして、第１チャネルに対応付けられた第１受信部２４１と、第２チャネルに対応付けられた第２受信部２４２とを備える。また、画像受信Ｉ／Ｆ部２４０は、第３チャネルに対応付けられた第３受信部２４３と、第４チャネルに対応付けられた第４受信部２４４とを備える。
画像処理部２５７は、第１受信部２４１〜第４受信部２４４の各々に入力される画素データを処理して、１フレームの画像を表示するための表示画像データを生成する。
信号検知部２５１は、チャネルごとに画素データの欠落を検出する。
制御部２７０は、画素データの欠落が検出された場合に、画像処理部２５７に補間処理を実行させる。
画像処理部２５７は、画素データの欠落が検出された場合に、補間処理を実行する。詳細には、画像処理部２５７は、表示画像データを構成する画素であって、画素データの欠落により画像特徴量を設定できない未設定画素の画像特徴量を、入力データの欠落が検出されなかった他のチャネルの入力データに基づいて補間して生成する。また、画像処理部２５７は、補間処理で、未設定画素の画像特徴量を、未設定画素以外の画素から選択される参照画素の画像特徴量により補間する。
従って、画素データの欠落したチャネルがあっても、画素データの欠落の影響を低く抑えることができる。
【００７９】
また、画像処理部２５７は、他のチャネルの画素データにより画像特徴量としての輝度値を設定済みの画素を参照画素として選択し、選択した参照画素の輝度値に基づいて参照輝度値を求め、参照輝度値をもとに未設定画素の輝度値を設定する。
従って、未設定画素の輝度値を、輝度値を設定済みの画素の輝度値をもとに設定することができる。
【００８０】
また、画像処理部２５７は、未設定画素に隣接する隣接画素であって、他のチャネルの入力データにより画像特徴量としての輝度値を設定済みの隣接画素を参照画素として選択する。
従って、輝度値を設定済みの隣接画素の輝度値に基づいて未設定画素の輝度値を設定することができる。
【００８１】
また、画像処理部２５７は、他のチャネルの入力データにより画像特徴量としての輝度値を設定済みの複数の画素を参照画素として選択し、選択した複数の参照画素の輝度値の平均値を参照輝度値として求める。
従って、輝度値を設定済みの複数の参照画素の輝度値の平均値に基づいて未設定画素の輝度値を設定することができる。
【００８２】
また、画像処理部２５７は、未設定画素の輝度値を、参照輝度値に対して予め設定されたシフト量を加えた輝度値に設定する。
従って、未設定画素の輝度値を、参照輝度値からシフト量だけ離れた値に設定することができる。
【００８３】
また、画像処理部２５７は、未設定画素の輝度値を、参照輝度値と、参照輝度値に対して予め設定されたシフト量を加えた輝度値とにより決定される範囲から選択する。
従って、未設定画素の輝度値を、参照輝度値にシフト量を加えた範囲内の値に設定することができる。
【００８４】
また、プロジェクター２００は、操作を受け付ける操作部として、操作パネル２３３又はリモコン５を備える。画像処理部２５７は、操作パネル２３３又はリモコン５で受け付けた操作に従い、参照輝度値と、参照輝度値に予め設定されたシフト量を加えた輝度値とのいずれか一方を選択する。
従って、ユーザーの選択に従い、未設定画素の輝度値として、参照輝度値と、参照輝度値に予め設定されたシフト量を加えた輝度値とのいずれ一方を選択することができる。
【００８５】
また、プロジェクター２００の制御部２７０及び表示部２３５は、報知を行う報知部として動作する。制御部２７０は、信号検知部２５１により画素データの欠落が検出されると、欠落が検出されたチャネルの情報を表示部２３５により表示パネル２３７に表示させる。また、制御部２７０は、駆動部２２０を制御して、画素データの欠落が生じたチャネルの情報をスクリーンＳＣに投射させる。
この構成によれば、画素データの欠落が生じたことをユーザーに報知することができる。
【００８６】
上述した実施形態は、本発明の好適な実施の形態である。但し、上述した実施形態に限定されるものではなく、本発明の要旨を逸脱しない範囲内において種々の変形実施が可能である。
例えば、上述した設定情報２６７、すなわち、画像処理部２５７に第１設定に基づく処理を実行させるか、第２設定に基づく処理を実行させるかの設定は、操作パネル２３３やリモコン５の操作により変更可能である。制御部２７０は、操作パネル２３３やリモコン５の操作により設定情報２６７を変更する操作を受け付けると、受け付けた操作に従って設定情報２６７を変更し、記憶部２６５に記憶させる。
【００８７】
また、上述した実施形態では、プロジェクター２００を、透過型液晶パネルを用いた液晶プロジェクターとして説明したが、反射型の液晶パネルやデジタルミラーデバイスを用いたプロジェクターであってもよい。また、表示装置は、スクリーンＳＣに画像を投射するプロジェクターに限定されず、液晶表示パネルに画像を表示する液晶モニター又は液晶テレビであってもよい。また、表示装置は、ＰＤＰ（プラズマディスプレイパネル）に画像を表示するモニター装置又はテレビ受像機であってもよい。また、表示装置は、ＯＬＥＤ（Organic light-emitting diode）、ＯＥＬ（Organic Electro-Luminescence）等と呼ばれる有機ＥＬ表示パネルに画像を表示するモニター装置又はテレビ受像機であってもよい。
【００８８】
また、図３に示すプロジェクター２００の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、また、ハードウェアで実現されている機能の一部をソフトウェアで実現してもよい。
【００８９】
また、上述した画像表示装置の制御方法が、画像表示装置が備えるコンピューターを用いて実現される場合、本発明を、上記制御方法を実現するためにコンピューターが実行するプログラム、このプログラムを前記コンピューターで読み取り可能に記録した記録媒体、或いは、このプログラムを伝送する伝送媒体の態様で構成することも可能である。上記記録媒体としては、磁気的、光学的記録媒体又は半導体メモリーデバイスを用いることができる。具体的には、フレキシブルディスク、ＨＤＤ（Hard Disk Drive）、ＣＤ−ＲＯＭ（Compact Disk Read Only Memory）、ＤＶＤ（Digital Versatile Disk）、Ｂｌｕ−ｒａｙ（登録商標）  Ｄｉｓｃ、光磁気ディスク、フラッシュメモリー、カード型記録媒体等の可搬型、或いは固定式の記録媒体が挙げられる。また、上記記録媒体は、画像表示装置が備える内部記憶装置であるＲＡＭ（Random Access Memory）、ＲＯＭ（Read Only Memory）、ＨＤＤ等の不揮発性記憶装置であってもよい。
【００９０】
また、図６に示すフローチャートの処理単位は、プロジェクター２００の制御部２７０の処理を理解容易にするために、主な処理内容に応じて分割したものである。図６のフローチャートに示す処理単位の分割の仕方や名称によって本発明が制限されることはない。また、制御部２７０の処理は、処理内容に応じて、さらに多くの処理単位に分割することもできるし、１つの処理単位がさらに多くの処理を含むように分割することもできる。また、上記のフローチャートの処理順序も、図示した例に限られるものではない。
【符号の説明】
【００９１】
５…リモコン、１１、１２、１３、１４…ケーブル、１００…画像供給装置、１１０…画像分割部、１２０…画像送信Ｉ／Ｆ部、１２１…第１送信部、１２２…第２送信部、１２３…第３送信部、１２４…第４送信部、２００…プロジェクター、２１０…投射部、２１１…光源部、２１２…光変調部、２１３…投射光学系、２２０…駆動部、２２１…光源駆動部、２２２…光変調部駆動部、２２３…投射光学系駆動部、２３１…リモコン受光部、２３３…操作パネル、２３９…入出力Ｉ／Ｆ部、２４０…画像受信Ｉ／Ｆ部、２４１…第１受信部、２４２…第２受信部、２４３…第３受信部、２４４…第４受信部、２５１…信号検知部、２５３…画像合成部、２５５…フレームメモリー、２５７…画像処理部、２６０…無線通信部、２６５…記憶部、２６７…設定情報、２７０…制御部、２８０…バス、ＳＣ…スクリーン。
【図１】
2019144447.tif 000003
【図２】
2019144447.tif 000004
【図３】
2019144447.tif 000005
【図４】
2019144447.tif 000006
【図５】
2019144447.tif 000007
【図６】
2019144447.tif 000008